(57)【要約】【課題】突発的に発生するイベントのイベント種別を考慮し、当該イベントに関するイベント情報の収集を適切に行うこと。【解決手段】イベント情報収集サーバ４は、移動通信端末２から当該移動通信端末２の位置情報及び速度情報を収集する収集部４１と、所定速度以上で移動する移動通信端末２が集中する集中エリアを特定するイベント発生検出部４２と、集中エリア内で移動する移動通信端末の移動方向に基づいて発生したイベントのイベント種別を判定するイベント種別判定部４３と、イベント種別に応じた情報収集エリア周辺に位置する移動通信端末２に対して、発生したイベントに関するイベント情報の収集を依頼する依頼通知を送る通知部４５と、を備えたものである。【選択図】図２
2010272909.tif 000002
【特許請求の範囲】
【請求項１】
移動通信端末から当該移動通信端末の位置情報及び速度情報を収集する収集手段と、
所定速度以上で移動する移動通信端末が集中する集中エリアを特定するエリア特定手段と、
前記集中エリア内で移動する移動通信端末の移動方向に基づいて発生したイベントのイベント種別を判定するイベント判定手段と、
前記イベント種別に応じた情報収集エリア周辺に位置する移動通信端末に対して、前記発生したイベントに関するイベント情報の収集を依頼する依頼通知を送る通知手段と、を備えたことを特徴とするイベント情報収集サーバ。
【請求項２】
前記通知手段は、前記イベント種別が前記移動通信端末の移動方向が集中することにより特定される第１イベントである場合、前記イベントが発生したイベント発生エリアに近接する情報収集エリア周辺に位置する移動通信端末に対して前記依頼通知を送ることを特徴とする請求項１に記載のイベント情報収集サーバ。
【請求項３】
前記通知手段は、前記イベント種別が前記移動通信端末の移動方向が発散することにより特定される第２イベントである場合、前記イベントが発生したイベント発生エリアから離れた、移動方向が発散した移動通信端末の動きが留まった情報収集エリア周辺に位置する移動通信端末に対して前記依頼通知を送ることを特徴とする請求項１に記載のイベント情報収集サーバ。
【請求項４】
前記通知手段は、前記情報収集エリア周辺に位置する移動通信端末に対して、イベントの撮影方向を指示することを特徴とする請求項１から請求項３のいずれかに記載のイベント情報収集サーバ。
【請求項５】
前記通知手段は、前記情報収集エリア周辺に位置する移動通信端末に対して、イベント発生エリアを示す地図情報を送ることを特徴とする請求項１から請求項４のいずれかに記載のイベント情報収集サーバ。
【請求項６】
移動通信端末から当該移動通信端末の位置情報及び速度情報を収集するステップと、
所定速度以上で移動する移動通信端末が集中する集中エリアを特定するステップと、
前記集中エリア内で移動する移動通信端末の移動方向に基づいて発生したイベントのイベント種別を判定するステップと、
前記イベント種別に応じた情報収集エリア周辺に位置する移動通信端末に対して、前記発生したイベントに関するイベント情報の収集を依頼する依頼通知を送る通知するステップとを備えたことを特徴とするイベント情報収集方法。
【発明の詳細な説明】
【技術分野】
【０００１】
本発明は、移動通信端末の移動状況に基づいて発生したイベントに関するイベント情報を収集するイベント情報収集サーバ及びイベント情報収集方法に関する。
【背景技術】
【０００２】
従来、携帯端末の位置情報及び歩数情報に基づいて当該携帯端末ユーザの移動動作状態を判定し異常情報を通知する異常通知システムが知られている（特許文献１参照）。この異常通知システムでは、携帯端末に、予め所定の移動経路及びこの移動経路上の所定の移動区間毎の正常時の移動動作状態が正常な移動動作パターンとして記憶されている。そして、携帯端末は、位置情報及び歩数情報から認識した移動動作と正常な移動動作パターンとを比較して異常の有無を判定し、異常と判定した場合に、異常情報を当該携帯端末に関係のあるクライアント端末に通知する。
【０００３】
また、最新の撮影スケジュールと撮影者の現在地を把握して、撮影を行う撮影管理システムが知られている（特許文献２参照）。この撮影管理システムでは、管理サーバが、スケジュールデータ内の撮影予定場所の位置と撮影者の撮影端末の現在位置とに基づいて、撮影予定場所の位置・距離や撮影対象に関する情報を、ネットワークを介して撮影端末に送って撮影を指示するように構成されている。スケジュール内の撮影予定場所が更新された場合、撮影端末には、管理サーバから更新後の撮影場所に関する情報が送られる。
【先行技術文献】
【特許文献】
【０００４】
【特許文献１】特開２００７−２２６７１４号公報
【特許文献２】特開２００６−１３５７２２号公報
【発明の概要】
【発明が解決しようとする課題】
【０００５】
ところで、突発的に発生する異常事態（イベント）には、例えば、事件などのユーザに危険が迫るような異常事態（危険イベント）や、事前に周知されないライブ等のユーザの興味を引くような異常事態（興味イベント）が考えられる。
しかしながら、従来の撮影管理システムでは、スケジュールデータに基づいて、予め決められた撮影予定場所の位置情報等を撮影端末に送って撮影を指示しているため、突発的に発生するイベントの種別に応じて、当該イベントに関する情報（イベント情報）を収集するために撮影等の依頼を適切に行うことができない問題があった。例えば、発生したイベントが危険イベントの場合において、移動通信端末に対して興味イベントと同様の収集依頼をした際には、ユーザが危険にさらされた状況の中でイベント情報の収集処理を行う可能性がある。
【０００６】
本発明はかかる点に鑑みてなされたものであり、突発的に発生するイベントのイベント種別を考慮し、当該イベントに関するイベント情報の収集を適切に行うことができるイベント情報収集サーバ及びイベント情報収集方法を提供することを目的とする。
【課題を解決するための手段】
【０００７】
本発明のイベント情報収集サーバは、移動通信端末から当該移動通信端末の位置情報及び速度情報を収集する収集手段と、所定速度以上で移動する移動通信端末が集中する集中エリアを特定するエリア特定手段と、前記集中エリア内で移動する移動通信端末の移動方向に基づいて発生したイベントのイベント種別を判定するイベント判定手段と、前記イベント種別に応じた情報収集エリア周辺に位置する移動通信端末に対して、前記発生したイベントに関するイベント情報の収集を依頼する依頼通知を送る通知手段と、を備えたことを特徴とする。
【０００８】
この構成によれば、発生したイベントのイベント種別に応じた情報収集エリア周辺に位置する移動通信端末にイベント情報の収集を依頼する依頼通知を送るので、突発的に発生するイベントのイベント種別を考慮してイベント情報の収集を適切に行うことができる。
【０００９】
本発明は、上記イベント情報収集サーバにおいて、前記通知手段は、前記イベント種別が前記移動通信端末の移動方向が集中することにより特定される第１イベントである場合、前記イベントが発生したイベント発生エリアに近接する情報収集エリア周辺に位置する移動通信端末に対して前記依頼通知を送ることを特徴とする。
【００１０】
この構成によれば、イベント種別が移動通信端末の移動方向が集中するような第１イベントである場合には、ユーザの興味を引くような突発的なイベント（興味イベント）が発生していると判断し、この興味イベントの発生エリアに近接する情報収集エリア周辺の移動通信端末に依頼通知を送るので、移動通信端末ユーザがイベント発生エリアに近い位置で詳細なイベント情報を収集することができる。ここで、興味イベントには、事前に周知されないライブ、バーゲン等のエンタテイメント関連イベントが挙げられる。
【００１１】
本発明は、上記イベント情報収集サーバにおいて、前記通知手段は、前記イベント種別が前記移動通信端末の移動方向が発散することにより特定される第２イベントである場合、前記イベントが発生したイベント発生エリアから離れた、移動方向が発散した移動通信端末の動きが留まった情報収集エリア周辺に位置する移動通信端末に対して前記依頼通知を送ることを特徴とする。
【００１２】
この構成によれば、イベント種別が移動通信端末の移動方向が発散するような第２イベントである場合には、ユーザに危険が迫るような危険イベントが発生していると判断し、この危険イベントの発生エリアから離れた、移動方向が発散した移動通信端末の動きが留まった情報収集エリア周辺の移動通信端末に依頼通知を送るので、安全な状況で移動通信端末ユーザがイベント情報を収集することができる。ここで、危険イベントには、事件、事故及び災害等のユーザが緊急避難を要するようなイベントが挙げられる。
【００１３】
本発明は、上記イベント情報収集サーバにおいて、前記通知手段は、前記情報収集エリア周辺に位置する移動通信端末に対して、イベントの撮影方向を指示することを特徴とする。
【００１４】
この構成によれば、情報収集エリア周辺に位置する移動通信端末にイベントの撮影方向を指示するので、移動通信端末ユーザに対して、効率的かつ効果的にイベント情報の収集を依頼することができる。
【００１５】
本発明は、上記イベント情報収集サーバにおいて、前記通知手段は、前記情報収集エリア周辺に位置する移動通信端末に対して、イベント発生エリアを示す地図情報を送ることを特徴とする。
【００１６】
この構成によれば、情報収集エリア周辺に位置する移動通信端末にイベント発生エリアを示す地図情報を送るので、移動通信端末ユーザに対して、正確なイベント発生エリアを把握させることができる。
【００１７】
本発明のイベント情報収集方法は、移動通信端末から当該移動通信端末の位置情報及び速度情報を収集するステップと、所定速度以上で移動する移動通信端末が集中する集中エリアを特定するステップと、前記集中エリア内で移動する移動通信端末の移動方向に基づいて発生したイベントのイベント種別を判定するステップと、前記イベント種別に応じた情報収集エリア周辺に位置する移動通信端末に対して、前記発生したイベントに関するイベント情報の収集を依頼する依頼通知を送る通知するステップとを備えたことを特徴とする。
【００１８】
この方法によれば、発生したイベントのイベント種別に応じた情報収集エリア周辺に位置する移動通信端末にイベント情報の収集を依頼する依頼通知を送るので、突発的に発生するイベントのイベント種別を考慮してイベント情報の収集を適切に行うことができる。
【発明の効果】
【００１９】
本発明によれば、突発的に発生するイベントのイベント種別を考慮し、当該イベントに関するイベント情報の収集を適切に行うことができる。
【図面の簡単な説明】
【００２０】
【図１】本発明の実施の形態に係るイベント情報収集システムの概略構成を示す図である。
【図２】本実施の形態に係るイベント情報収集サーバを示す機能ブロック図である。
【図３】集中エリアの特定方法の一例を説明するための模式図である。
【図４】移動通信端末の移動方向に基づくイベント種別の判定を説明するための模式図である。
【図５】情報収集エリアを説明するための模式図である。
【図６】通知部から送られる地図情報及び撮影方向情報の表示例を示す図である。
【図７】イベント発生エリアの移動に伴い情報収集エリアが移動する状態を示した模式図である。
【図８】本実施の形態に係るイベント情報収集システムのイベント情報収集動作を示すシーケンス図である。
【図９】本実施の形態に係るイベント情報収集サーバのイベント発生検出、イベント種別判定及び情報収集エリア特定動作を示すフロー図である。
【発明を実施するための形態】
【００２１】
以下、本発明の実施の形態について添付図面を参照して詳細に説明する。
図１は、本発明の実施の形態に係るイベント情報収集システムを説明するための概略構成を示す図である。図１に示すイベント情報収集システム１は、複数の移動通信端末２（２Ａ〜２Ｄ）と、移動通信網３を介して複数の移動通信端末２Ａ〜２Ｄと接続されるイベント情報収集サーバ４及びコンテンツサーバ５と、を備えている。なお、図１に示すイベント情報収集システム１では、説明を簡単にするために４つの移動通信端末２を示しているが、移動通信端末２の数はこれに限定されるものではない。
【００２２】
このイベント情報収集システム１は、複数の移動通信端末２の位置及び移動速度に基づいて発生したイベントのイベント種別を判定し、このイベント種別に応じた情報収集エリア周辺に位置する移動通信端末にイベント情報の収集を依頼する依頼通知を送るようにしたビジネスモデルに適用可能である。例えば、イベント情報収集サーバ４は、イベント種別がユーザの興味を引くような事前に周知されないライブ等の興味イベントの場合には、イベント発生エリアに近い情報収集エリア周辺の移動通信端末２に依頼通知を送り、イベント種別がユーザに危険が迫るような事件等の危険イベントの場合には、イベント発生エリアから一定距離離れた安全な情報収集エリア周辺の移動通信端末２に依頼通知を送る。
【００２３】
各移動通信端末２Ａ〜２Ｄは、端末の加速度を測定する加速度センサ機能及び端末の位置及び方位を測定する端末位置・方位測定機能を備えた携帯電話機等の端末装置で構成されており、移動通信網３を介してイベント情報収集サーバ４との間で、自端末の位置・加速度情報や発生したイベントに関するイベント情報（例えば、イベントを撮影した画像・動画データ等）の各種情報の送受信を行うことができる。各移動通信端末２Ａ〜２Ｄは、オペレーティングシステム（移動機ＯＳ）上でブラウザ機能、ビューワ機能、アプリケーション管理機能等の機能を有し、アプリケーション機能等のこれら各機能は、イベント情報収集サーバ４からアプリケーション起動信号を受信することにより起動され、移動通信端末２上の各アプリケーションとイベント情報収集サーバ４との間で通信が行われる。そして、移動通信端末２は、自端末の位置情報、加速度情報及び収集したイベント情報をイベント情報収集サーバ４に送信すると共に、イベント情報収集サーバ４から依頼通知、地図及び撮影方向情報等を受信する（詳細は後述する）。
【００２４】
移動通信網３は、各移動通信端末２Ａ〜２Ｄとイベント情報収集サーバ４との間のネットワークである。この移動通信網３には、通常の移動通信網に加えて移動パケット通信網や、インターネット、ＬＡＮ（Local  Area  Network）やＷＡＮ（Wide  Area  Network）等のネットワークも含まれる。
【００２５】
コンテンツサーバ５は、地図情報、ニュース情報及びアーティストに関連するエンタテイメント情報等の様々なコンテンツを提供するコンテンツ提供サーバであり、イベント情報収集サーバ４からのコンテンツの取得要求に対応して、イベント発生エリアを示す地図情報等のコンテンツをイベント情報収集サーバ４に提供する。
【００２６】
図２は、イベント情報収集サーバ４の概略構成を示す機能ブロック図である。イベント情報収集サーバ４は、移動通信端末２と協働して、移動通信端末２から端末の位置・加速度情報及び発生したイベントに関するイベント情報を収集するものであり、収集部４１と、イベント発生検出部４２と、イベント種別判定部４３と、地図情報取得部４４と、通知部４５と、を備えている。このイベント情報収集サーバ４は、移動通信端末２から当該移動通信端末２の位置・加速度情報やイベント情報を収集するため、予め移動通信端末２に対して、移動通信端末２に内蔵されたアプリケーション機能を実行するための起動信号を送っている。なお、収集部４１、イベント発生検出部４２、イベント種別判定部４３、地図情報取得部４４、通知部４５は、イベント情報収集サーバ４内に組み込まれたＣＰＵ(Central  Processing  Unit)がＲＯＭ（Read  Only  Memory）内の各種プログラムに従ってＲＡＭ（Random  Access  Memory）内のデータを演算し、各部と協働して収集処理、イベント発生検出処理、イベント種別判定処理及び通知処理等を実行するようになっている。
【００２７】
収集部４１は、移動通信網３を介して複数の移動通信端末２と通信可能に構成されており、所定の監視エリア（例えば、半径２００ｍ）毎に移動通信端末２の位置情報及び加速度センサ情報を継続的に監視し、当該位置情報及び加速度センサ情報を収集してイベント発生検出部４２に送る。
【００２８】
イベント発生検出部４２は、収集部４１から受け取った移動通信端末２の加速度センサ情報を速度情報に変換し、速度情報及び位置情報により所定の速度以上で移動している移動通信端末２の集中するエリア（集中エリア）を特定し、突発的なイベント発生を検出する（エリア特定手段）。所定の速度は、例えば、通勤・通学時の人の移動をイベント発生と検出しないように、日常生活における人の平均移動速度以上の速度を基準とする。ここで、集中エリアの特定は、収集部４１が監視する監視エリアを基準にして、当該監視エリア内を所定速度で移動する移動通信端末２が所定の閾値以上となるエリアを集中エリアとしてもよい。
【００２９】
図３は、イベント発生検出部４２の集中エリアの特定方法の一例を説明するための模式図である。ここでは、監視エリア内の移動通信端末２の半数（閾値５０％）以上が所定速度以上で移動した場合を例に説明する。図３において、黒丸は所定速度以上で移動する移動通信端末２を示し、白丸は所定速度未満で移動する移動通信端末２を示している。図３に示すように、点線で示す監視エリア（例えば、半径２００ｍ）ＡＲ１内においては、黒丸の数は８であり、当該監視エリアＡＲ１内における移動通信端末２の総端末数（２０）の半数以上でないので、黒丸の数が半数以上となるような実線で示すエリア（例えば、半径１００ｍ）ＡＲ２まで絞り込んでいく。エリアＡＲ２内の黒丸の数は６であり、当該エリアＡＲ２内の総端末数１１の半数以上になっているので、エリアＡＲ２を集中エリアとして特定する。すなわち、イベント発生検出部４２は、所定速度以上で移動する移動通信端末数が閾値以上となるようなエリア（集中度の高いエリア）を見つけ出し、このエリアでのイベント発生を検出する。
【００３０】
イベント種別判定部４３は、イベント発生検出部４２が特定した集中エリア内の移動通信端末２の移動方向に基づいて発生したイベントの種別を判定し、判定結果を地図情報取得部４４及び通知部４５に送る。具体的には、図４（ａ）に示すように、複数の移動通信端末２の移動方向が一方向に集中している場合、移動方向から特定される移動先エリアで複数の移動通信端末２が集まるような突発的なイベント、つまりユーザの興味を引くような興味イベントが発生していると判断する。一方、図４（ｂ）に示すように、複数の移動通信端末２の移動方向が発散している場合には、移動方向から特定される移動元エリアから離れていくような突発的なイベント、つまりユーザに危険が迫るような危険イベントが発生していると判断する。興味イベントには、例えば、事前に周知されないアーティストのライブ・コンサートやバーゲン等のエンタテイメント関連イベントが、危険イベントには、例えば、事件、事故、災害等の緊急避難を要するようなイベントが挙げられる。
【００３１】
地図情報取得部４４は、イベント種別判定部４３からイベント種別の判定結果を受け取ると、コンテンツサーバ５にアクセスして、判定結果に基づいてイベント発生エリアを示す地図情報を取得し、取得した地図情報を通知部４５に送る。
【００３２】
通知部４５は、イベント種別判定部４３からイベント種別の判定結果を受け取ると、イベント種別に応じた情報収集エリアを特定し、この情報収集エリア周辺に位置する移動通信端末２に対して、発生したイベントに関するイベント情報の収集を依頼する依頼通知（依頼通知情報）を送る。具体的には、イベント種別が移動通信端末２の移動方向が集中することにより特定される興味イベント（第１イベント）である場合（図４（ａ））、通知部４５は、イベント発生エリアに近接するエリアを情報収集エリアとし（図５（ａ））、この情報収集エリア周辺に位置する移動通信端末２に依頼通知を送る。一方、イベント種別が移動通信端末２の移動方向が発散することにより特定される危険イベント（第２イベント）である場合、通知部４５は、イベント発生エリアから離れた、移動方向が発散した移動通信端末２の動きが留まったエリアを情報収集エリアとし（図５（ｂ））、このイベント発生エリアから離れた情報収集エリア周辺に位置する移動通信端末２に依頼通知を送る。
【００３３】
このように、通知部４５は、イベント種別に応じた情報収集エリア周辺に位置する移動通信端末２に依頼通知を送るので、突発的に発生するイベント種別を考慮してイベント情報の収集を適切に行うことができる。例えば、イベント種別が興味イベントである場合、この興味イベントの発生エリアに近い情報収集エリア周辺の移動通信端末２に依頼通知を送り、移動通信端末ユーザがイベント発生エリアに近づいた状態で詳細なイベント情報を収集することができる。一方、イベント種別が危険イベントである場合には、この危険イベントの発生エリアから離れた情報収集エリア周辺の移動通信端末２に依頼通知を送り、移動通信端末ユーザが安全な状況でイベント情報を収集することができる。
【００３４】
また、通知部４５は、地図情報取得部４４から受け取ったイベント発生エリアを示す地図情報を、情報収集エリア周辺に位置する移動通信端末２に送る。図６（ａ）は、通知部４５から送られた地図情報の表示例を示す図である。図６（ａ）では、イベント情報収集の依頼通知情報と共に地図情報が表示されている。これにより、移動通信端末ユーザに対して、正確なイベント発生エリアを把握させることができる。
【００３５】
また、通知部４５は、特定した情報収集エリア周辺に位置する移動通信端末２に対して、図６（ｂ）に示すように、イベントの撮影方向（イベント発生エリアの方向）を示す撮影方向情報を送る。これにより、移動通信端末ユーザに対して、効率的かつ効果的にイベント情報の収集を依頼することができる。ここで、移動通信端末２が方位センサを搭載する場合には、図６（ａ）及び（ｂ）に示す地図表示と方向表示とを切り替え可能な依頼通知を送るようにしてもよい。さらに、情報収集エリア周辺に位置する移動通信端末２に依頼通知を送る場合には、移動通信端末２の位置情報に基づいて、イベントの撮影方向が同一方向に偏らないように（分散するように）調整してもよい。これにより、様々な方向からのイベント情報（撮影画像・動画データ）を収集することができる。
【００３６】
なお、通知部４５は、図７に示すように、イベント発生エリア（実線で示す範囲）が移動している場合、このイベント発生エリアの移動に情報収集エリア（点線で示す範囲）を追従させ、当該変化する情報収集エリア周辺の移動通信端末２に対して依頼通知及び地図情報を連続的に送ることが好ましい。これにより、イベント発生エリアの移動に伴って情報収集エリアも変動するので、正確なイベント情報を収集することができる。イベント発生エリアが移動するような場合としては、例えば、事件の犯人が逃走中である場合や災害等が拡大しているような場合が該当する。
【００３７】
次に、図８を用いて、イベント情報収集システム１のイベント情報収集動作を説明する。図８は、イベント情報収集システム１のイベント情報収集動作を示すシーケンス図である。ここでは、図１に示す移動通信端末２Ａ及び２Ｂが所定速度以上で移動している場合を例に説明する。
【００３８】
イベント情報収集サーバ４は、継続的に複数の移動通信端末２Ａ及び２Ｂから位置情報及び加速度センサ情報を受け付け（ステップＳ８１）、加速度センサ情報及び位置情報を収集する（ステップＳ８２）。イベントが発生すると、イベント情報収集サーバ４は、収集した加速度センサ情報及び位置情報に基づいて、所定速度以上の移動通信端末２Ａ及び２Ｂの集中するエリアＡを集中エリアと特定し（ステップＳ８３）、当該移動通信端末２Ａ及び２Ｂの移動方向に基づいて発生したイベント種別を判定する（ステップＳ８４）。そして、判定したイベント種別に応じて情報収集エリアを特定する（ステップＳ８５）。このとき、イベント情報収集サーバ４は、イベント種別判定結果に基づいて、コンテンツサーバ５にイベント発生エリアを示す地図情報の取得要求を送り（ステップＳ８６）、コンテンツサーバ５は、取得要求に従って地図情報をイベント情報収集サーバ４に送る（ステップＳ８７）。
【００３９】
次に、イベント情報収集サーバ４は、情報収集エリア周辺に位置する移動通信端末２Ａ及び２Ｂに、イベント情報収集の依頼通知及びイベント発生エリアの地図情報を送る（ステップＳ８８）。そして、移動通信端末２Ａ及び２Ｂには、図６に示すような依頼通知及び地図情報が表示され、この依頼通知及び地図情報に従い、移動通信端末２Ａ及び２Ｂのユーザはイベント情報（例えば、発生したイベントを撮影した画像・動画データ）を収集し（ステップＳ８９）、収集したイベント情報をイベント情報収集サーバ４に送る（ステップＳ９０）。
【００４０】
次に、図９を用いて、イベント情報収集サーバ４のイベント発生検出、イベント種別判定及び情報収集エリア特定動作について詳細に説明する。図９は、イベント情報収集サーバ４のイベント発生検出、イベント種別判定及び情報収集エリア特定動作を示すフロー図である。
【００４１】
イベント情報収集サーバ４は、複数の移動通信端末２の加速度センサ情報及び位置情報を収集すると、加速度センサ情報を移動通信端末２の速度情報に変換し（ステップＳ９０１）、所定速度以上で移動している移動通信端末２が集中する集中エリアがあるか否か判定する（ステップＳ９０２）。所定速度以上で移動する移動通信端末２が集中するエリアがある場合（ステップＳ９０２：Ｙｅｓ）、当該エリアを集中エリアとして特定してイベントが発生していると判断する（ステップＳ９０３）。集中するエリアが無い場合（ステップＳ９０２：Ｎｏ）、当該処理は繰り返し行われる。
【００４２】
次に、所定速度以上で移動する移動通信端末２の移動方向が集中しているか否かを判定する（ステップＳ９０４）。移動通信端末の移動方向が集中している場合（ステップＳ９０５：Ｙｅｓ）、当該移動方向から特定される移動先エリアにおいて、移動通信端末ユーザが急速に集合するような興味イベントが発生していると判断する（ステップＳ９０５）。そして、図５（ａ）に示すように、興味イベントの発生エリアに近接するエリアを情報収集エリアを特定する（ステップＳ９０６）。すなわち、イベント種別が興味イベントであれば、ユーザに危険が迫るような状況もないため、詳細なイベント情報の収集を期待できるイベント発生エリアに最も近いエリアを情報収集エリアとして特定する。
【００４３】
一方、移動通信端末２の移動方向が集中していない、つまり移動方向が発散している場合（ステップＳ９０４：Ｎｏ）、当該移動方向から特定される移動元エリアから移動通信端末ユーザが急速に離れたいような危険イベントが発生していると判断する（ステップＳ９０７）。そして、図５（ｂ）に示すように、危険イベントの発生エリアから離れた、移動方向が発散した移動通信端末２の動きが留まったエリアを情報収集エリアとして特定する（ステップＳ９０８）。すなわち、イベント種別が危険イベントであれば、ユーザに危険が迫るような状況であるため、発散した移動通信端末２の加速度情報の変化から移動通信端末２の動きが留まった位置を、ユーザの安全を確保できるエリアと判断し、このエリアを情報収集エリアとして特定する。
【００４４】
そして、地図情報取得部４４は、コンテンツサーバ５からイベント発生エリアの地図情報を取得し（ステップＳ９０９）、通知部４５は、情報収集エリア周辺の移動通信端末２に依頼通知及び地図情報を送る（ステップＳ９１０）。
【００４５】
このように、本実施の形態では、所定速度以上で移動する移動通信端末２の移動方向に基づいて発生したイベントのイベント種別を判定し、判定したイベント種別に応じた情報収集エリア周辺に位置する移動通信端末２にイベント情報の収集を依頼するので、突発的に発生するイベントのイベント種別を考慮してイベント情報の収集を適切に行うことができる。イベント種別が移動通信端末２の移動方向が集中する場合には、ユーザの興味を引くような突発的な興味イベントが発生していると判断し、この興味イベントの発生エリアに近接する情報収集エリア周辺の移動通信端末２にイベント情報の収集を依頼するので、イベント発生エリアに近い位置で詳細なイベント情報を収集することができる。一方、イベント種別が移動通信端末２の移動方向が発散する場合には、ユーザに危険が迫るような突発的な危険イベントが発生していると判断し、この危険イベントの発生エリアから離れた、移動方向が発散した移動通信端末の動きが留まった情報収集エリア周辺の移動通信端末２にイベント情報の収集を依頼するので、安全な状況で移動通信端末ユーザがイベント情報を収集することができる。このようにして移動通信端末２から収集したイベント情報は、イベント発生エリア近傍に位置する移動通信端末２であって当該イベントに気づいていないユーザに対してイベント発生情報として通知することが好ましい。例えば、発生したイベントが興味イベントであれば、興味イベントの発生エリアの周辺エリア内の移動通信端末２にイベント発生情報を通知し、ユーザが興味イベントの発生位置に集まるように促すことが可能であり、発生したイベントが危険イベントであれば、危険イベントの発生エリアに特に近いエリア内の移動通信端末２にイベント発生情報を通知し、危険イベントの発生エリアから避難するように促すことが可能である。
【００４６】
また、本発明は上記実施の形態に限定されず、種々変更して実施することが可能である。例えば、本発明の範囲を逸脱しない限りにおいて、処理部や処理手順については適宜変更して実施することが可能である。その他、本発明の範囲を逸脱しないで適宜変更して実施することが可能である。
【産業上の利用可能性】
【００４７】
本発明は、携帯電話機等の移動通信端末の移動状況に基づいて発生したイベントに関するイベント情報を収集するイベント情報収集サーバ及びイベント情報収集方法に適用可能である。
【符号の説明】
【００４８】
１  イベント情報収集システム
２  移動通信端末
３  移動通信網
４  イベント情報収集サーバ
５  コンテンツサーバ
４１  収集部
４２  イベント発生検出部
４３  イベント種別判定部
４４  地図情報取得部
４５  通知部
【図１】
2010272909.tif 000003
【図２】
2010272909.tif 000004
【図３】
2010272909.tif 000005
【図４】
2010272909.tif 000006
【図５】
2010272909.tif 000007
【図６】
2010272909.tif 000008
【図７】
2010272909.tif 000009
【図８】
2010272909.tif 000010
【図９】
2010272909.tif 000011